(57)【要約】  ディスクジョッキー用のメディア・プレーヤー（１０）が開示される。メディア・プレーヤー（１０）は、正面と裏面と左側面と右側面とを含む筐体を含む。複数の入力ポート（１８、８４）が、複数のメディア・トラックを含むデジタル記憶デバイスを接続するように構成される。第１および第２のメディア出力（８６ａ、８６ｂ）が含まれる。メディア・プレーヤー（１０）は、メディア・トラックをキューイングし再生するように構成された第１のメディア制御インターフェースを有する第１のデッキと、メディア・トラックをキューイングし再生するように構成された第２のメディア制御インターフェースを有する第２のデッキと、３つの部分に分割されたメイン表示画面（５６）を含むグローバル制御インターフェースとを含む。それぞれの入力ポート（１８、８４）の各々の入力ポートを介してデジタル記憶デバイスにアクセスし、それを制御するためのミキシング・コントローラも含まれる。
2009531807.tif 000002
【特許請求の範囲】
【請求項１】
ディスクジョッキー用のメディア・プレーヤーであって、
正面と裏面と左側面と右側面とを含む筐体と、
複数のメディア・トラックを含むデジタル記憶デバイスを動作可能に接続するように構成され配列された複数の入力ポートと、
第１のメディア出力と、
第２のメディア出力と、
メディア・トラックをキューイングし再生するように構成され配列された第１のメディア制御インターフェースを有する第１のデッキであって、前記メディア・トラックが、前記第１のメディア出力を介して出力され、前記第１のメディア制御インターフェースが前記筐体の前記正面に置かれる、第１のデッキと、
メディア・トラックをキューイングし再生するように構成され配列された第２のメディア制御インターフェースを有する第２のデッキであって、前記メディア・トラックが、前記第２のメディア出力を介して出力され、前記第２のメディア制御インターフェースが前記筐体の前記正面に置かれる、第２のデッキと、
前記筐体の前記正面に置かれたメイン表示画面と、メニューをナビゲートし、その中に含まれたメニュー選択肢を選択するための回転可能で押下可能な選択ノブと、メニューをナビゲートし、その中に含まれたメニュー選択肢を選択するための、それに関連するコンテキスト機能ラベルを有する複数の多機能コントロールとを含むグローバル制御インターフェースと、
前記第１のインターフェース、前記第２のインターフェース、および前記グローバル制御インターフェース上で行われた選択に従って前記複数の入力ポートの各々の入力ポートを介して前記デジタル記憶デバイスにアクセスし、それを制御するためのデジタル・ミキシング・コントローラとを含むメディア・プレーヤー。
【請求項２】
前記筐体の前記左側面から伸びる左ラック・マウントと、
前記筐体の前記右側面から伸びる右ラック・マウントとをさらに含む、請求項１に記載のメディア・プレーヤー。
【請求項３】
第１のフェーダー・スタート・コネクタと第２のフェーダー・コネクタとをさらに含み、
前記第１のフェーダー・スタート・コネクタが、前記第１のデッキに、それへの入力信号を受信すると再生させ、それへの別の入力信号を受信すると一時停止させ、
前記第２のフェーダー・スタート・コネクタが、前記第２のデッキに、それへの入力信号を受信すると再生させ、それへの別の入力信号を受信すると一時停止させる、請求項１に記載のメディア・プレーヤー。
【請求項４】
第１の表示と第２の表示と第３の表示とを有するビート・キーパーをさらに含み、
前記第１の表示が、前記第１のデッキ上で再生されるメディア・トラックのビートを示し、
前記第２の表示が、前記第２のデッキ上で再生されるメディア・トラックのビートを示し、
前記第３の表示が、それぞれ前記第１のデッキおよび前記第２のデッキ上で再生される前記メディア・トラックの強拍がいつ同時に生じるかを示す、請求項１に記載のメディア・プレーヤー。
【請求項５】
前記複数のメディア・トラックの一部を、ディスクジョッキー演奏で使用するセットに分類するためのクレート・コントロールをさらに含む、請求項１に記載のメディア・プレーヤー。
【請求項６】
前記メイン表示画面の前記第３の部分が、それぞれアーティスト、アルバム、プレイリストおよび曲タイトルに別に編成された前記複数のメディア・トラックの前記第３の表示をさらに含む、請求項１に記載のメディア・プレーヤー。
【請求項７】
ビュー・コントロールをさらに含み、前記ビュー・コントロールが、第１のメディア・トラックおよび第２のメディア・トラックへのエネルギーのグラフィカル表現を提供するために、前記メイン表示画面の前記第３の部分に、前記第１のデッキ上で再生される前記第１のメディア・トラックの第１のトラック・プロファイルを、前記の第２のデッキ上で再生される前記第２のメディア・トラックの第２のトラック・プロファイルと並べて表示する、請求項１に記載のメディア・プレーヤー。
【請求項８】
前記デジタル記憶デバイスが取外し可能なハード・ドライブである、請求項１に記載のメディア・プレーヤー。
【請求項９】
前記デジタル記憶デバイスが取外し可能なサムドライブである、請求項１に記載のメディア・プレーヤー。
【請求項１０】
前記デジタル記憶デバイスが、携帯型パーソナル・メディア・プレーヤーである、請求項１に記載のメディア・プレーヤー。
【請求項１１】
前記メイン表示画面が、
前記第１のデッキの第１の表示を含む第１の部分と、
前記第２のデッキの第２の表示を含む第２の部分と、
前記複数のメディア・トラックの第３の表示を含む第３の部分とをさらに含む、請求項１に記載のメディア・プレーヤー。
【請求項１２】
ディスクジョッキー用のメディア・プレーヤーであって、
正面と裏面と左側面と右側面とを含む筐体と、
複数のメディア・トラックを含むデジタル記憶デバイスを動作可能に接続するように構成され配列された複数の入力ポートと、
第１のメディア出力と、
第２のメディア出力と、
メディア・トラックをキューイングし再生するように構成され配列された第１のメディア制御インターフェースを有する第１のデッキであって、前記メディア・トラックが、前記第１のメディア出力を介して出力され、前記第１のメディア制御インターフェースが前記筐体の前記正面に置かれる、第１のデッキと、
メディア・トラックをキューイングし再生するように構成され配列された第２のメディア制御インターフェースを有する第２のデッキであって、前記メディア・トラックが、前記第２のメディア出力を介して出力され、前記第２のメディア制御インターフェースが前記筐体の前記正面に置かれる、第２のデッキと、
前記筐体の前記正面に置かれたメイン表示画面と、メニューをナビゲートし、その中に含まれたメニュー選択肢を選択するための回転可能で押下可能な選択ノブと、メニューをナビゲートし、その中に含まれたメニュー選択肢を選択するための、それに関連するコンテキスト機能ラベルを有する複数の多機能コントロールとを含むグローバル制御インターフェースとを含み、
前記メイン表示画面が、前記第１のデッキの第１の表示を含む第１の部分と、前記第２のデッキの第２の表示を含む第２の部分と、前記複数のメディア・トラックの第３の表示を含む第３の部分とを有し、
前記第１のインターフェース、前記第２のインターフェース、および前記グローバル制御インターフェース上で行われた選択に従って前記複数の入力ポートの各々の入力ポートを介して前記デジタル記憶デバイスにアクセスし、それを制御するためのデジタル・ミキシング・コントローラをさらに含む、メディア・プレーヤー。
【請求項１３】
前記筐体の前記左側面から伸びる左ラック・マウントと、
前記筐体の前記右側面から伸びる右ラック・マウントとをさらに含む、請求項１２に記載のメディア・プレーヤー。
【請求項１４】
第１のフェーダー・スタート・コネクタと第２のフェーダー・スタート・コネクタとをさらに含み、
前記第１のフェーダー・スタート・コネクタが、前記第１のデッキに、それへの入力信号を受信すると再生させ、それへの別の入力信号を受信すると一時停止させ、
前記第２のフェーダー・スタート・コネクタが、前記第２のデッキに、それへの入力信号を受信すると再生させ、それへの別の入力信号を受信すると一時停止させる、請求項１２に記載のメディア・プレーヤー。
【請求項１５】
第１の表示と第２の表示と第３の表示とを有するビート・キーパーをさらに含み、
前記第１の表示が、前記第１のデッキ上で再生されるメディア・トラックのビートを示し、
前記第２の表示が、前記第２のデッキ上で再生されるメディア・トラックのビートを示し、
前記第３の表示が、それぞれ前記第１のデッキおよび第２のデッキ上で再生される前記メディア・トラックの強拍がいつ同時に生じるかを示す、請求項１２に記載のメディア・プレーヤー。
【請求項１６】
前記複数のメディア・トラックの一部を、ディスクジョッキーの演奏で使用するためのセットに分類するためのクレート・コントロールをさらに含む、請求項１２に記載のメディア・プレーヤー。
【請求項１７】
前記メイン表示画面の前記第３の部分が、それぞれアーティスト、アルバム、プレイリストおよび曲タイトルに別に編成された前記複数のメディア・トラックの前記第３の表示をさらに含む、請求項１２に記載のメディア・プレーヤー。
【請求項１８】
ビュー・コントロールをさらに含み、前記ビュー・コントロールが、第１のメディア・トラックおよび第２のメディア・トラックへのエネルギーのグラフィカル表現を提供するために、前記メイン表示画面の前記第３の部分に、前記第１のデッキ上で再生される前記第１のメディア・トラックの第１のトラック・プロファイルを、前記の第２のデッキ上で再生される前記第２のメディア・トラックの第２のトラック・プロファイルと並べて表示する、請求項１２に記載のメディア・プレーヤー。
【請求項１９】
前記デジタル記憶デバイスが取外し可能なハード・ドライブである、請求項１２に記載のメディア・プレーヤー。
【請求項２０】
前記デジタル記憶デバイスが取外し可能なサムドライブである、請求項１２に記載のメディア・プレーヤー。
【請求項２１】
前記デジタル記憶デバイスが、携帯型パーソナル・メディア・プレーヤーである、請求項１２に記載のメディア・プレーヤー。
【請求項２２】
ディスクジョッキー用のメディア・プレーヤーであって、
正面と裏面と左側面と右側面とを含む筐体と、
複数のメディア・トラックを含むデジタル記憶デバイスを動作可能に接続するように構成され配列された複数の入力ポートと、
第１のメディア出力と、
第２のメディア出力と、
メディア・トラックをキューイングし再生するように構成され配列された第１のメディア制御インターフェースを有する第１のデッキであって、前記メディア・トラックが、前記第１のメディア出力を介して出力され、前記第１のメディア制御インターフェースが前記筐体の前記正面に置かれる、第１のデッキと、
メディア・トラックをキューイングし再生するように構成され配列された第２のメディア制御インターフェースを有する第２のデッキであって、前記メディア・トラックが前記第２のメディア出力を介して出力され、前記第２のメディア制御インターフェースが前記筐体の前記正面に置かれる、第２のデッキと、
前記筐体の前記正面に置かれたメイン表示画面と、メニューをナビゲートし、その中に含まれたメニュー選択肢を選択するための回転可能で押下可能な選択ノブと、メニューをナビゲートし、その中に含まれたメニュー選択肢を選択するための、それに関連するコンテキスト機能ラベルを有する複数の多機能コントロールとを含むグローバル制御インターフェースとを含み、
前記グローバル制御インターフェースが、前記複数のメディア・トラックの一部を、ディスクジョッキーの演奏で使用するセットに分類するためのクレート・コントロールをさらに含み、
前記第１のインターフェース、前記第２のインターフェース、および前記グローバル制御インターフェース上で行われた選択に従って前記複数の入力ポートの各々の入力ポートを介して前記デジタル記憶デバイスにアクセスし、それを制御するためのデジタル・ミキシング・コントローラをさらに含む、メディア・プレーヤー。
【請求項２３】
第１の表示と第２の表示と第３の表示とを有するビート・キーパーをさらに含み、
前記第１の表示が、前記第１のデッキ上で再生されるメディア・トラックのビートを示し、
前記第２の表示が、前記第２のデッキ上で再生されるメディア・トラックのビートを示し、
前記第３の表示が、それぞれ前記第１のデッキおよび第２のデッキ上で再生される前記メディア・トラックの強拍がいつ同時に生じるかを示す、請求項２２に記載のメディア・プレーヤー。
【請求項２４】
ビュー・コントロールをさらに含み、前記ビュー・コントロールが、第１のメディア・トラックおよび第２のメディア・トラックへのエネルギーのグラフィカル表現を提供するために、前記メイン表示画面の前記第３の部分に、前記第１のデッキ上で再生される前記第１のメディア・トラックの第１のトラック・プロファイルを、前記の第２のデッキ上で再生される前記第２のメディア・トラックの第２のトラック・プロファイルと並べて表示する、請求項２２に記載のメディア・プレーヤー。
【発明の詳細な説明】
【技術分野】
【０００１】
本発明は、一般には、マルチメディアの再生および制御のための機器に関する。より具体的には、本発明は、オーディオおよびビデオ・ファイルなど、マルチメディアの再生を制御するためのディスクジョッキー・ミキシング機器に関する。
【背景技術】
【０００２】
音楽業界では、ディスクジョッキーなどの人が、マルチメディアを自在にかつ正確に再生できることが求められている。こうしたマルチメディアは、多くの異なる形で入手可能である。たとえば、オーディオがアナログ・ビニール盤で入手可能であることは、長年よく知られている。特に、音楽録音は、ビニール・レコードで入手可能であり、再生演奏中、ディスクジョッキーによって、ターンテーブル上で広く再生されてきた。
【０００３】
しかし、一般に、ディスクジョッキーの演奏中、連続的な音楽再生を提供することが必要とされ望まれる。これを実施するために、２つ以上のターンテーブルが一般に使用され、第１のターンテーブルは現在の選曲を再生し、第２のターンテーブルは、次の選択を頭出し指示するために使用される。第１の選曲がその終点に近づいており、またはその終点にあるとき、第２のターンテーブルへの再生は、マスタ出力を中断せずに、第２のターンテーブルに切り換えることができる。あるターンテーブルから別のターンテーブルへの移行は、ある選曲から別の選曲にシームレスに移行するように前後でミキシングしまたはフェードされ得ることも非常によく知られている。この前後移行およびミキシングは、ディスクジョッキーの演奏中、行ったり来たりして無期限に実施することができる。
【０００４】
このミキシングを実施するために、ディスクジョッキー・ミキシング・デバイスが一般に使用される。ミキサーは一般に、２つの入力、すなわちターンテーブルなどの各音楽ソースごとに１つの入力と、マスタ出力とを含む。ディスクジョッキーがメディア・ソースのミキシングおよび出力を直観的に制御することができるように、制御インターフェースがミキサー上に設けられる。このインターフェースは、ディスクジョッキーが魅力的な演奏を求めてメディアのこうしたミキシングおよび再生出力を有効に制御できるようにするために、極めて重要である。
【０００５】
ターンテーブルおよびビニール・レコードがメディアとしてのオーディオ源として使用される場合、オーディオのキューイングおよび再生は、ターンテーブル自体によって指示される。ディスクジョッキーは、ターンテーブルにビニール・レコードを物理的に置き、所望の位置に針を置き、望まれるときに再生するためにその頭出しを指示する。再生のためその選択を出力するとき、ミキサーは、それがマスタ出力で聞こえるように、その選択に切り換わりまたはフェードするように操作される。その選択がもはや望まれないとき、ターンテーブルは、ターンテーブル自体の上の適切なボタンまたはコントロールを始動させることによって停止される。
【０００６】
一般に、ターンテーブル自体の上のコントロールは、ターンテーブルの再生およびコマンド操作を制御するために使用される。その結果、ディスクジョッキー・ターンテーブルは、ビニール・レコードの高速かつ容易な制御に特によく適したコントロールを備える。たとえば、再生およびキュー・ボタンは一般に、非常に大きく、容易に利用することができ、それは、暗いナイトクラブ内で、また選択変更が頻繁に行われる場合には不可欠である。
【０００７】
ターンテーブルによって再生されるビニール・レコードは、ディスクジョッキーによって再生されるよく知られているメディア・ソースであり、最近では、ディスクジョッキーによる使用に適した多くの新しい形のデジタル・メディアがある。たとえば、デジタル・コンパクトディスク（ＣＤ）は現在、デジタル・オーディオなどのメディアの一般的な記憶フォーマットである。デジタル・オーディオは、光学ＣＤ内に格納される。上述されたように、ターンテーブルは一般に、コンパクトディスク・プレーヤーで代用され、ミキシングされる。ＣＤ、およびその中のオーディオ・ファイルの移送および操作の制御は、ディスクジョッキーにとって使い易い操作コントロールをその上に設けることによって容易に行うことができる。たとえば、再生／キュー・ボタンは、ディスクジョッキーの演奏を容易にするために、大きいものとし、直感的に認識できるようにＣＤプレーヤー上に置くことができる。
【０００８】
光ディスク内にデジタル・ファイルを格納するＣＤと同じように、他の記憶媒体が、容易な再生のためにデジタル・オーディオ・ファイルを格納するのに使用されてきた。たとえば、デジタル・オーディオ・ファイルは、ハードディスク、メモリＲＡＭカード、ＵＳＢサムドライブなどに格納することができる。これらの記憶デバイスは、ディスクジョッキーによる後の再生およびミキシング用のメディア・ファイル・ソースとして働くこともできる。これらの記憶デバイスは、ディスクジョッキー・ミキサー用の入力ソースとして、アナログ・ターンテーブルまたはＣＤプレーヤー用の代替メディア・ソースとして働く別個のユニットになり得る。たとえば、ハードディスク、および／または取外し媒体を受けるためのメモリ・カード・スロットを備えたメディア・プレーヤーは、当技術分野においてよく知られている。ターンテーブルおよびＣＤプレーヤーと同様に、これらは、メディア・ファイルの再生およびコマンドのための大きい直感的なコントロールを備えたユニットである。一般にこれらのコントロールは、特にディスクジョッキーがディスクジョッキー演奏を行い易いようにレイアウトされ配列される。
【０００９】
ＣＤプレーヤー、ハードディスク・プレーヤーは、単一デバイスの解決策のために、ディスクジョッキー・ミキサーと統合され得ることも知られている。しかし、これらのユニットはまだ十分大きく、ディスクジョッキーによる使用に合わせた設計で構成されている。
【００１０】
最近、携帯型メディア・デバイスは、コンパクトなサイズ、大きい記憶容量、およびコストの低下により非常に普及している。携帯メディア・デバイスは、携帯型ハードディスク・ドライブ、特に携帯型メディア・プレーヤーの形で入手可能である。これらの携帯型メディア・プレーヤーは、「ｍｐ３」および「ｗｍｖ」など、異なる多くのフォーマットでオーディオ・ファイルを再生することができる。また、これらのプレーヤーの多くは、「ａｖｉ」および「ｄｉｖｘ」など、異なるフォーマットのビデオ・ファイルを再生することができる。たとえば、Ｃｒｅａｔｉｖｅ  Ｔｅｃｈｎｏｌｏｇｙ  Ｌｔｄ．社、Ａｐｐｌｅ  Ｃｏｍｐｕｔｅｒ  Ｉｎｃ．社およびＡｒｃｈｏｓ  Ｉｎｃ．社によって製造された携帯型メディア・プレーヤーは、この能力を備えて、広く販売されている。
【００１１】
これらのプレーヤーは一般に、デバイス自体に、それ自体のオペレーティング・システム、ならびにトランスポートおよびコマンド・コントロールを含んでおり、したがって、ユーザは、所望のときに、ファイルを再生および制御することができる。これらの携帯型デバイスは、ユーザがたとえばヘッドホンやステレオシステムを介して再生用コントロールを操作することができるように、ユーザの片手または両手に持つことが一般に意図されているという点で、本質的にパーソナルなプレーヤーである。
【００１２】
これらのトランスポートおよびコマンド・コントロールは、携帯型プレーヤーのほとんどの用途に適しているが、他の用途向けにパーソナル・プレーヤー、または接続された大容量記憶クラスデバイスの制御を向上させまたは改善することがしばしば求められる。たとえば、携帯型メディア・プレーヤー用には、リモコンが提供されている。プレーヤーのオペレーティング・システムに相互接続されたレシーバが、携帯型プレーヤーに接続される。赤外線を使用する無線リモコンは、たとえば、実際のデバイスのトランスポートおよびコマンド・コントロールの一部またはすべての複製を含む。リモコン上のボタンを押下すると、レシーバにコマンドが送信され、それによって携帯型プレーヤーの動作が制御される。こうした無線リモコンは、プレーヤー自体に触れる必要なしに離れたところから携帯型プレーヤーを操作するのによく適している。
【００１３】
多くの携帯型デバイスは、プレーヤーの正面に、トランスポートおよびコマンド・コントロールを含む。プレーヤーがその上端部だけを露出した状態にない場合であれば、コントロールを操作することができるように、プレーヤー全体を取り外さなければならない。この問題に取り組むために、プレーヤーのオペレーティング・システムへのアクセスのための追加の接点を一般に含むそのヘッドホンジャックなどを介してプレーヤーの端に差し込むことができる従来技術の制御モジュールがある。
【００１４】
あるいは、トランスポートおよびコマンド・コントロールのうちの一部は、たとえばヘッドホンに組み込むなど、プレーヤーにつながれた接続上で複製することができる。つながれた小さいコントロール上で実現可能なサイズが小さいため、主要なトランスポートおよびコマンド・コントロールが、その上に設けられる。
【００１５】
従来技術では、携帯型プレーヤーを受けるためのドックをその中に設けることも知られており、使いやすくするために、コントロールの一部がドック上で繰り返される。たとえば、携帯型メディア・プレーヤー用のドックを含む多数のスタンドアロンの電動スピーカ・ユニットは、ユーザがプレーヤー自体の上のコントロールを操作しないで済むようにするために使用する複製されたこうしたコントロールを有する。
【００１６】
携帯型プレーヤー上のコントロールは、人が手の上でそれを操作するには十分であるが、これらのコントロールは、ディスクジョッキーによって演奏中に使用するにはあまり適していない。さらに、つながれたリモコン、プラグイン・モジュールおよび電動スピーカ上のものなど、携帯型メディア・プレーヤー用の複製されたトランスポートおよびコマンド・コントロールは、ディスクジョッキーによる使用には不十分である。それらは、ディスクジョッキーによる使用に合わせた直覚的で論理的なやり方では配置されていない。さらに、それらのどれも、２つ以上の携帯型プレーヤー間のミキシング能力を提供しない。また、それらのどれも、同じまたは２つの異なる携帯型メディア・デバイスからのオーディオをストリーミングしミキシングすることができない。さらに、従来デバイスのどれも、それぞれのプレーヤー・コントロールに関連して画面を容易に見ることができるように携帯型メディア・プレーヤーをマウントするやり方を提供していない。従来技術には、各携帯型プレーヤーに専用の２組の別個のディスクジョッキー・スタイルのコントロールを有するデバイスも欠けている。
【発明の開示】
【発明が解決しようとする課題】
【００１７】
上記内容を考慮して、外部ハード・ドライブなど、大容量記憶デバイスなどの携帯型メディア・デバイスに相互接続することができるデジタル・ミキシング・コントローラ、ならびにその中にストレージを有する携帯型メディア・プレーヤーが求められている。デジタル・ミキシング・コントローラ装置に接続されたデバイスの操作コマンドのコントロールを含む携帯型メディア・デバイス用のデジタル・ミキシング・コントローラ装置が求められている。携帯型メディア・デバイス用の装置に接続された１つまたは複数のメディア・デバイスからストリーミングされたメディアをミキシングすることができる携帯型メディア・デバイス用の装置を求める別の需要がある。接続された大容量記憶デバイス上に格納されたメディアを制御し、指令を与えることができるデジタル・ミキシング装置が求められている。携帯型メディア・デバイス上にメディア情報を表示する携帯型メディア・デバイス用の装置の別の需要がある。メディア・デバイスが携帯型メディア・プレーヤーである場合にメディア・デバイスのオペレーティング・システムへのアクセスおよび制御を行う必要なしに、その上のメディアを完全に直接制御することができる携帯型メディア・デバイス用の装置が求められている。
【課題を解決するための手段】
【００１８】
本発明のメディア・プレーヤーは、携帯型メディア・プレーヤーを含めて、従来技術のミキサーおよびコントローラ、携帯型メディア記憶デバイスの利点を保持する。さらに、それは、現在入手可能なデバイスでは見られない新しい利点を提供し、現在入手可能なこうしたデバイスの多くの欠点を克服する。
【００１９】
このメディア・プレーヤーは一般に、本発明の装置に接続されたメディア記憶デバイス内に格納されたオーディオおよびビデオ・ファイルなど、メディアを再生し制御するための新規で独自のデジタル・ミキシング・コントローラ装置を対象とする。
【００２０】
このメディア・プレーヤーは、第１の携帯型メディア記憶デバイス上のメディアを制御し、指令を与えるための制御インターフェースを提供するだけでなく、メディアを直接制御するためのそれ独自のオペレーティング・システムをも提供する新規で独自のデジタル・ミキシング・コントローラを含む。したがって、接続されたメディア記憶デバイスは単に、装置がその中のファイルへのアクセスを得ることができる大容量記憶デバイスとして動作することが必要である。本発明の装置は好ましくは、デバイス自体に置かれたメディア再生およびオペレーティング・システムにアクセスせず、またはそれを使用しない。このデバイスは、たとえば、携帯型外部ＵＳＢハード・ドライブ、またはその中にオーディオおよび／またはビデオ・ファイルを有する携帯型メディア・プレーヤーであり得る。
【００２１】
この装置は好ましくは、その中に２組のメディア・コントロールを備えたラック取付け可能な筐体を含む。携帯型メディア記憶デバイスは、ＵＳＢポート、あるいはＩＥＥＥ  １３９４およびＢｌｕｅｔｏｏｔｈなど、知られている他のファイル転送方法によって装置に接続される。マイクロコントローラは、筐体内に常駐し、メディア・ファイルの処理に対処する。第１のメディア・コントロールおよび第２のメディア・コントロールは、マイクロコントローラに電気的に相互接続される。その中にメディア・アイテムを備えた１つまたは複数の携帯型メディア記憶デバイスが、装置に接続される。その結果、装置は、接続された記憶デバイスのうちのいずれかに置かれたメディアのすべてへのアクセスを有する。
【００２２】
ユーザ・インターフェースは非常に柔軟であり、後の再生および制御に備えてトラックにフラグを立て、トラックを選択し、プレイリスト（またはキュー・セット）にグループ化することができる。プレイリスト内の再生する次のメディア・アイテムとして、それは、装置の正面に位置する適切なディスクジョッキー・インターフェース・コントロールによって制御するために片面（すなわちＡまたはＢ）、あるいは両面に自動的に送信され得る。したがって、ディスクジョッキーは、特定の面の所与のファイルの再生を手動でキューイングする必要はない。この装置はこれを自動的に制御することができ、それは、新しく独自の特徴である。あるいは、所与のメディア・ファイルが、所与の１組のコントロールによって制御するために、ある面またはもう一方の面に手動で置かれていてもよい。
【００２３】
装置上の第１のコントロール・セットおよび第２のコントロール・セットの操作はそれぞれ、それに割り当てられたメディア・アイテムの操作を命じる。携帯型メディア記憶デバイスに接続された出力は、ディスクジョッキーのやり方でミキシングされ、完全に制御され得る。ミキシングされた出力の各面のレベルおよびマスタ・ボリュームは、制御することができる。
【発明を実施するための最良の形態】
【００２４】
本発明のメディア・プレーヤーの諸実施形態のこれらおよび他の特徴、態様および利点は、以下の説明、添付の特許請求の範囲、および添付の図面を参照してよりよく理解されよう。
【００２５】
図１および２を参照すると、メディア・プレーヤーの全体が、１０で示されている。メディア・プレーヤー１０は、正面および裏面を有する筐体１１を含む。筐体１１は、一般にラック取付け可能であるように構成され、具体的には、筐体１１の側面から外側に伸びる取付ブラケット１２、１４を含む。筐体１１は、ラック（図示せず）に収まるように３Ｕスペースだけを必要とする。筐体１１の正面は、メディア・プレーヤー１０を操作するためのコントロールのすべてを含み、それについては、以下でより詳細に述べる。筐体１１の裏面は、メディア・プレーヤー１０を電源、外部アンプ、オーディオ・ソース、パーソナル・コンピュータ、スピーカなどに接続するためのコネクタをすべて含み、それについて、以下でより詳細に述べる。
【００２６】
メディア・プレーヤー１０は、第１の携帯型メディア記憶デバイス上のメディアを制御し、指令を与えるための制御インターフェースを提供するだけでなく、メディアを直接制御するためのそれ自体の独自のオペレーティング・システムをも提供するデジタル・ミキシング・コントローラを含む。したがって、接続されたメディア記憶デバイスは、装置がその中のファイルへのアクセスを得ることができる大容量記憶デバイスとして動作する必要があるにすぎない。本発明の装置は好ましくは、デバイス自体に置かれたメディア再生およびオペレーティング・システムにアクセスせず、またはそれを使用しない。このデバイスは、たとえば、携帯型の外部ＵＳＢハード・ドライブ、またはその中にオーディオおよび／またはビデオ・ファイルを含む携帯型メディア・プレーヤーであり得る。
【００２７】
図３を参照すると、メディア・プレーヤー１０の正面が、メディア・コンテンツをキューイングし再生するための様々なコントロールを含んでいる。この正面は、メディア・プレーヤー１０の主電源スイッチ１６、およびＵＳＢ互換装置用のＵＳＢ入力ポート１８を含む。ＵＳＢ入力ポート１６が示されているが、ＩＥＥＥ  １３９４高速シリアル・バスまたは他のデータ転送ポートなど、他の入力ポートが使用されてもよい。
【００２８】
この正面は、大まかに３つの制御領域、すなわち第１のデッキへの第１のインターフェース、第２のデッキへの第２のインターフェース、および中央制御インターフェースに分割することができる。第１および第２のインターフェースは、操作面は同一であるが、ディスクジョッキーが、対応する各デッキ上でメディアをそれぞれ独立にキューイングし、ビート・マッチングし、再生することを可能にする。中央制御インターフェースは、両方のデッキ用のグローバル・コントロールと、メイン表示画面とを含む。
【００２９】
各インターフェースのほぼ中央には、ジョグ・ホイール・コントロール２０ａ、２０ｂが目立つように置かれている。ジョグ・ホイール・コントロール２０ａ、２０ｂは、それぞれのデッキ上で再生される音楽のピッチ・ベンディング、スクラッチおよび検索するために使用することができる。ジョグ・ホイール・コントロール２０ａ、２０ｂの機能性は、付随するスクラッチ・コントロール２２ａ、２２ｂ、ならびに検索コントロール２４ａ、２４ｂによって決まる。
【００３０】
メディア・トラックがそれぞれのデッキ上で再生されている間、ジョグ・ホイール・コントロール２０ａ、２０ｂは、ピッチ・ベンドとして機能する。ピッチ・ベンディングは、メディアを一時的に加速させ（右回りに回転）、または減速させる（左回りに回転）。この技術は、完全には同期され得ない、ビート・マッチングされた２つのトラックを調整するときに使用される。したがって、ピッチ・ベンディングを用いてディスクジョッキーは、ミキシングされているトラックを一時的に減速し、または加速することができ、したがって、そのビートは、他のデッキ上で既に再生している他のトラックのビートに同期する。
【００３１】
メディア・トラックが一時停止される間、ディスクジョッキーは、ジョグ・ホイール・コントロール２０ａ、２０ｂを使用して、新しいキュー・ポイント位置まで曲を探すことができる。ジョグ・ホイール・コントロール２０ａ、２０ｂの調整に続いてそれぞれの再生／スタッター・コントロール２６ａ、２６ｂをアクティブ化すると、新しい選択位置にキュー・ポイントが設定される。
【００３２】
スクラッチ・モードに入れるためにスクラッチ・コントロール２２ａ、２２ｂが、それぞれの各ジョグ・ホイール・コントロール２０ａ、２０ｂの隣に設けられている。スクラッチ・モードでは、ジョグ・ホイール・コントロール２０ａ、２０ｂは、ディスクジョッキーがビニール・レコードをスクラッチするのとほとんど同じやり方で、ディスクジョッキーがメディア・トラックにスクラッチ効果を加えることを可能にする。メディア・トラックの再生の間、ジョグ・ホイール・コントロール２０ａ、２０ｂを前後に移動すると、スクラッチ効果が生じる。ジョグ・ホイール・コントロール２０ａ、２０ｂが静止状態に保たれるとき、メディア・トラックの通常の再生が再開する。オーディオに隙間を生じさせずに再生を再開するために、スクラッチングによって「プッシュオフ」すると、ジョグ・ホイール・コントロール２０ａ、２０ｂを放す前にほぼ通常の再生速度で前送りする。
【００３３】
各ジョグ・ホイール・コントロール２０ａ、２０ｂの隣には、検索モードに入るための各検索コントロール２４ａ、２４ａもある。検索モードは、ディスクジョッキーがジョグ・ホイール・コントロール２０ａ、２０ｂを使用して、現在のメディア・トラックを迅速に目を通すことを可能にする。ディスクジョッキーが短い期間（約８秒）の間、ジョグ・ホイール・コントロール２０ａ、２０ｂに触れない場合、それぞれのデッキは、自動的に検索モードから出る。
【００３４】
再生／スタッター・コントロール２６ａ、２６ｂは、それぞれの各デッキに含まれている。再生／スタッター・コントロール２６ａ、２６ｂをアクティブ化すると、デッキ上で現在されているものが開始される。キュー・ポイントは、現在位置に設定され、メディアが再生し始める。メディア・プレーヤー１０の再生の間に再生／スタッター・コントロール２６ａ、２６ｂをアクティブ化すると、キュー・ポイントからメディアが再開され、それは、「スタッター」効果を生じさせるために使用することができる。
【００３５】
各再生／スタッター・コントロール２６ａ、２６ｂの隣には、一時停止コントロール２８ａ、２８ｂがある。一時停止コントロール２８ａ、２８ｂは、対応するデッキ上で再生しているメディア・トラックを停止する。一時停止コントロール２８ａ、２８ｂをアクティブ化し、一時停止の間、約１秒間そのままにしておくと、メディアの再生が、選択されたトラックの最初に戻る。
【００３６】
それぞれの一時停止コントロール２８ａ、２８ｂの隣には、キュー・コントロール３０ａ、３０ｂがある。キュー・コントロール３０ａ、３０ｂは、最後に設定されたキュー・ポイントでメディアを戻し、同時に一時停止する。上記で述べられたように、キュー・ポイントは、再生／スタッター・コントロール２６ａ、２６ｂがアクティブ化された最後の場所、あるいは再生／スタッター・コントロール２６ａ、２６ｂがアクティブ化されていない場合はトラックの先頭である。キュー・コントロール３０ａ、３０ｂをアクティブ化し保持することによって、メディア・プレーヤー１０のそれぞれのデッキは、キュー・コントロール３０ａ、３０ｂがアクティブに保たれる間、選択されたメディア・トラックの再生を開始する。キュー・コントロール３０ａ、３０ｂを放すと、メディア・プレーヤー１０は、後ろにジャンプし、キュー・ポイントで一時停止する。
【００３７】
キュー・ポイントは、一時停止の間にジョグ・ホイール・コントロール２０ａ、２０ｂを新しい位置へと回すことによって容易に編集することができる。ディスクジョッキーがジョグ・ホイール・コントロール２０ａ、２０ｂを回している間、メディア・トラックは、音を出す。ジョグ・ホイール・コントロール２０ａ、２０ｂを停止し、再生／スタッター・コントロール２６ａ、２６ｂをアクティブ化することによって、新しいキュー・ポイントが設定される。
【００３８】
それぞれのデッキは、メディア・トラックの速度（またはピッチ）を制御するために使用されるピッチ・スライダー・コントロール３２ａ、３２ｂを含む。スライダーを「−」の方向に動かすと、メディア・トラックのピッチが低くなり（またテンポが遅くなり）、スライダーを「＋」の方向に動かすと、メディア・トラックのピッチが高くなり（またテンポが速くなる）。
【００３９】
それぞれのピッチ・スライダー・コントロール３２ａ、３２ｂと共に働くピッチ調整コントロール３４ａ、３４ｂがある。ピッチ調整コントロール３４ａ、３４ｂは、ピッチ・スライダー・コントロール３２ａ、３２ｂがメディア・トラックの全体的なテンポに対して有する制御の範囲（または精度）を調整する。ピッチ調整コントロールをアクティブ化すると、±０、６、１２、２５および＋２５／−１００％のピッチ範囲で循環するが、他の範囲が使用されてもよい。０を選択すると、ピッチ・スライダー・コントロール３２ａ、３２ｂが非アクティブ化される。
【００４０】
それぞれ異なるピッチ範囲によって、メディア・トラックの速度へのそれぞれ異なる精度が可能となる。±６％など、小さいピッチ範囲を選択すると、ディスクジョッキーは、メディア・トラックの速度に対してより正確な制御を有することができる。＋２５／−１００％など、大きいピッチ範囲の選択は、より極端な速度調整を可能にし、面白い特別な効果のために使用することができる。
【００４１】
メディア・プレーヤー１０は、現在再生中のメディアの周波数とリズム・パターンの組合せに基づいてビートを自動的に追跡するビート・キーパーを含む。それは、ビート表示３６に１分当たりのビート数（「ＢＰＭ：ｂｅａｔｓ  ｐｅｒ  ｍｉｎｕｔｅ」）を示し、行進棒グラフにメディア・トラックに関する４カウント（すなわち１測定単位）の情報を出力する。ビート表示３６は、左バー３８と、右バー４０と、中央バー４２とを含む。左バー３８は、第１のデッキ上で再生されるメディアのビートを表し、右バー４０は、第２のデッキ上で再生されるメディアのビートを表す。中央バー４２は、ディスクジョッキーが２つの異なるメディア・トラックのビートを一致させる際の助けとするために、両方のデッキで再生されるメディアの強拍がいつ同時に生じるか示す。
【００４２】
タップ・コントロール４４ａ、４４ｂは、各デッキ上の検索コントロール２４ａ、２４ｂの隣に設けられる。現在再生中のメディアのビートに合わせてそれぞれのタップ・コントロール４４ａ、４４ｂをアクティブ化すると、ビート・キーパーが適切なテンポを検出する助けとなる。タップ・コントロール４４ａ、４４ｂをアクティブ化し、約１秒間アクティブのままに保つと、ビート・キーパーがリセットされ、ＢＰＭを再計算することになる。
【００４３】
それぞれのインターフェース上に、モード・コントロール４６ａ、４６ｂも設けられる。モード・コントロール４６ａ、４６ｂをアクティブ化すると、メイン表示画面５６に、ピッチ範囲、時間表示およびフェーダー・スタートなどのデッキ・オプションを含むメニューが呼び出される。その後、ディスクジョッキーは、下記に詳述される選択ノブ４８を使用して、所望の値に合わせることができ、選択ノブ４８を押下すると、次のオプションに移る。モード・コントロール４４ａ、４４ｂをアクティブ化すると、再びデッキ・オプション・メニューから出る。
【００４４】
それぞれのインターフェースは、１組のループ・コントロールをも含む。具体的には、ループ・イン・コントロール５０ａ、５０ｂ、ループ・アウト・コントロール５２ａ、５２ｂ、および再ループ・コントロール５４ａ、５４ｂがある。
【００４５】
ループ・イン・コントロール５０ａ、５０ｂは、メディア・トラック内の「ループ・イン・ポイント」を設定するために使用される。デフォルトでは、「ループ・イン」ポイントは、（トラックの先頭にデフォルト設定される）現在のキュー・ポイントに自動的に設定される。新しい「ループ・イン」ポイントは、メディア・トラックが所望のポイントに達するときにループ・イン・コントロール５０ａ、５０ｂをアクティブ化することによって定められる。ループ・イン・コントロール５０ａ、５０ｂ内のループ・イン・インジケータが点灯して、新しい「ループ・イン」ポイントが設定されたことを知らせる。新しいループ・イン・ポイントは、単にメディア・トラック内の新しい所望の位置でループ・イン・コントロール５０ａ、５０ｂを再びアクティブ化することによって設定することができる。
【００４６】
ループ・イン・コントロール５０ａ、５０ｂは、新しいキュー・ポイントを作成するために使用することもできる。ループ・イン・コントロール５０ａ、５０ｂをアクティブ化すると、キュー・ポイント５０ｂが、その位置にやはり設定される。ディスクジョッキーは、同時にループ・イン・コントロール５０ａ、５０ｂをアクティブ化しながら、キュー・コントロール３０ａ、３０ｂをアクティブ化し保持することによって、この新しいキュー・ポイントに戻ることができる。デッキは一時停止し、ループ・イン・ポイントに戻る。再生は、その後に再生／スタッター・コントロール２６ａ、２６ｂをアクティブ化することによって再開することができる。
【００４７】
ループ・アウト・コントロール５２ａ、５２ｂは、ループの終了点を設定するために使用される。メディア・トラックの再生中にループ・アウト・コントロール５２ａ、５２ｂが初めてアクティブされるとき、ループ・イン・コントロール５０ａ、５０ｂ内のインジケータが点滅し、メディア・トラックは、「ループ・イン」ポイントから開始して、「ループ・アウト」ポイントで終了するシームレスなループで再生し始める。ループを放れ、または終了するために、ループ・アウト・コントロール５２ａ、５２ｂが、２回目、アクティブ化される。再生は、メディア・トラックが、以前に設定されループ・アウト・ポイントを通過するとき、前送りを続ける。ループ・アウト・コントロール５２ａ、５２ｂ内のインジケータは、連続的に点灯して、後の再ループに備えてループがメモリ内に現在格納されていることを知らせる。
【００４８】
ループ・イン・コントロール５０ａ、５０ｂと同様に、ループ・アウト・コントロール５２ａ、５２ｂを使用して、新しいキュー・ポイントを作成することもできる。ループ・アウト・コントロール５２ａ、５２ｂをアクティブ化すると、その位置でやはりキュー・ポイントが設定される。ディスクジョッキーは、同時にループ・アウト・コントロール５２ａ、５２ｂをアクティブ化しながら、キュー・コントロール３０ａ、３０ｂをアクティブ化し保持することによって、この新しいキュー・ポイントに戻ることができる。デッキは一時停止し、ループ・アウト・ポイントに戻る。再生は、その後に再生／スタッター・コントロール２６ａ、２６ｂアクティブ化することによって再開することができる。
【００４９】
再ループ・コントロール５４ａ、５４ｂは、ループ・イン・ポイントからメディア・トラックの再生を繰り返す。ループは、設定されている場合、ループ・アウト・コントロール５２ａ、５２ｂをアクティブ化することによって解放されるまで、前に設定されたループを再生し、繰り返す。再ループ・コントロール５４ａ、５４ｂを繰り返しアクティブ化することよって、スタッター効果を生むことができる。
【００５０】
中央制御インターフェースは、ナビゲーションおよび機能コントロールなど、メディア・プレーヤー用のグローバル・コントロール、ならびにビート・キーパー表示３６、およびメイン表示画面５６を含む。メイン表示画面５６は、メディア・プレーヤー、デッキ、ならびに取外し可能ハードディスクや携帯型メディア再生デバイスなど、接続された任意の周辺デバイスに関する情報を表示する。
【００５１】
メイン表示画面５６の隣には、メニュー選択ノブ４８がある。メニュー選択ノブ４８は、リストをナビゲートし、設定を変更し、ユーザ・インターフェースの様々な部分を操作するために使用される。メニュー選択ノブ４８を回し押下して、メイン表示画面５６に表示されたユーザ・インターフェース・メニュー内の強調表示されたアイテムを選択しまたは変更することができる。
【００５２】
メイン表示画面５６の隣には、表示コントラスト・コントロール５８もある。表示コントラスト・コントロール５８は、様々な照明条件下で見ることを可能にするために、メイン表示画面５６のコントラストを増加させまたは減少させるのに使用される。
【００５３】
表示コントラスト・コントロール５８の下には、ライブラリ選択コントロール６０がある。ライブラリ選択コントロール６０は、ディスクジョッキーが、ＵＳＢポート１８、８４のうちの１つを介してメディア・プレーヤーに接続された取外し可能媒体内に格納されたメディアのライブラリにアクセスすることを可能にする。
【００５４】
ライブラリ選択コントロール６０の下には、クレート・コントロール６２がある。クレート・コントロール６２は、ディスクジョッキーが、クレート（またはフラグ・リスト）内にあるものとしてラベル付けされたメディア・トラックを見ることを可能にする。クレート（またはフラグ・リスト）内のメディア・トラックを見ている間、ディスクジョッキーは、メイン表示画面５６の下の多機能コントロール７０、７２、７４、７６、７８を使用して、ミキシングのためにどちらか一方のデッキにトラックを送信し、それが既に再生されている場合には後の使用に備えてクレート内にそれを引き戻し、あるいはクレートからそれをすべて取り除くことができる。ディスクジョッキーは、選択ノブ４８を使用することにより、クレート内のメディア・トラックの順序を切り換えることもできる。
【００５５】
メイン表示画面５６の反対側、選択ノブ４８の下には、取出しコントロール６４がある。取出しコントロール６４をアクティブ化すると、ディスクジョッキーは、取り外すために、メディア・プレーヤー１０に接続された大容量記憶デバイスを選択することができる。取外しコントロール６４がアクティブ化されるとき、メディア・プレーヤー１０に現在接続されているデバイスのリストが、メイン表示画面５６に表示される。ディスクジョッキーは、選択ノブ４８を使用して、取り出す所望のデバイスを選択する。
【００５６】
取外しコントロール６４の下には、ユーティリティ・コントロール６６がある。ユーティリティ・コントロール６６をアクティブ化すると、メイン表示画面５６上に表示するユーティリティ・メニューが呼び出される。ユーティリティ・メニュー内で、ディスクジョッキーは、表示設定を調整し、設定を工場出荷時のデフォルト設定に戻し、ピッチ・スライダー３２ａ、３２ｂを較正することができる。
【００５７】
ユーティリティ・コントロール６６の下には、ビュー・コントロール６８がある。ビュー・コントロール６８は、いずれか一方のデッキで再生されるメディアに関する異なる情報にアクセスするために使用される。またビュー・コントロール６８は、再生されるメディア・トラックのトラック情報とトラック・プロファイル・ビューの間の切換えを行う。
【００５８】
トラック・プロファイルは、その「エネルギー」によって区別された、そのメディア・トラック内のフレーズまたはセグメントを迅速かつ容易に識別するように設計されたメディア・トラックの視覚的な表示である。波形とは異なり、プロファイルは、トラックのあらゆる小さい詳細を示すとは限らず、単にエネルギー面で大きい変化を示す。
【００５９】
トラック・プロファイルは、３階調に分割され、黒が加わり変化の総数が４つになる。トラックの白い部分は、高エネルギーおよびボリュームを示し、徐々に変化して、より静かなフレーズを表す黒セクションへと減少する。各プロファイルの長さは、メイン表示画面５６の使用可能な作業領域にちょうど収まるようにスケーリングされ、したがって、トラック全体が常に目に見える。
【００６０】
４つの多機能コントロール７２、７４、７６、７８が、メイン表示画面の下に見られる。４つの多機能コントロール７２、７４、７６、７８は、メイン表示画面５６上に表示された使用可能なメニュー・アイテムから選択するために使用される。見られているメニューによって、個々の多機能コントロール７２、７４、７６、７８の機能性は変化する。メイン表示画面５６は、多機能コントロール７２、７４、７６、７８の直接上に、特定の各多機能コントロール７２、７４、７６、７８の機能をそれぞれ示す１つまたは複数のアイコンを表示する。
【００６１】
４つの多機能コントロール７２、７４、７６、７８の一方の側には、左ページ・コントロール８０および右ページ・コントロール８２がある。左ページ・コントロール８０および右ページ・コントロール８２は、使用可能なとき、選択の使用可能ページをスクロールするために使用される。見るべき追加のページがある場合、左または右矢印アイコンが、それぞれ左または右ページ・コントロール８０、８２の上の表示画面に表示される。左ページ・コントロール８０および右ページ・コントロール８２は、メイン表示画面５６にテキストを入力するときにカーソル９６を移動するためにも使用される。
【００６２】
次に図４を参照すると、メディア・プレーヤー１０は、筐体の裏面に複数のコネクタまたはアダプタを含む。具体的には、メディア・プレーヤーは、メディア・プレーヤーへの電力供給のための電源入力８３と、１対のＵＳＢポート８４と、ライン出力のデュアル・セット８６ａ、８６ｂと、フェーダー開始入力８８とを含む。
【００６３】
ＵＳＢポート８４は、メディア・プレーヤー１０および他のＵＳＢ互換デバイスに大容量記憶デバイスを接続するために使用することができる。たとえば、メディア・プレーヤー１０へのテキスト入力を可能にするために、選択ノブ４８、および左右のページ・コントロール８０、８２を使用するのではなく、ＵＳＢ互換キーボードが接続されてもよい。２つの使用可能なＵＳＢポート８４は、オプションのＵＳＢハブを使用することによって拡張されてもよい。
【００６４】
メディア・プレーヤー１０は、２つのライン出力ポート８６ａ、８６ｂを含む。第１のライン出力ポート８６ａは、ＲＣＡ接続として構成され、第１のデッキからのオーディオ信号を出力する。第２のライン出力８６ｂポートもまた、ＲＣＡ接続を構成され、第２のデッキからのオーディオ信号を出力する。２つのライン出力８６ａ、８６ｂは、別個のミキシングコンソールに接続され、聴衆用のスピーカに送信され得る。
【００６５】
メディア・プレーヤー１０は、フェーダー・スタート・コネクタ８８ａ、８８ｂをも含む。フェーダー・スタート・コネクタ８８ａ、８８ｂは、フェーダー・スタート互換ミキサーに接続されてもよい。フェーダー・スタートは、ディスクジョッキーが、フェーダー・スタート互換ミキサーからリモートで、メディア・プレーヤーのいずれかのデッキ上で再生を開始することを可能にする。この特徴では、ディスクジョッキーがフェーダー・スタート互換ミキサー上のクロスフェーダー・コントロールを一方の入力から他方の入力に移動するたび、その各デッキにロードされたトラックが、再生を開始する。
【００６６】
メディア・プレーヤー１０は、ＭＰ３、ＷＡＶおよびＡＡＣ音楽フォーマットなど、普及したフォーマットで格納されたメディア・ファイルを再生することができる。さらに、メディア・プレーヤー１０は、ＦＡＴ１６、ＦＡＴ３２、ＮＴＦＳ（読出し専用）およびＨＦＳ＋フォーマットで格納されたファイル・システムを読み出し、制御することができる。メディア・プレーヤー１０は、デバイス自体またはプロキシを介して働くのではなく、これらのフォーマットで装置を直接制御する。この特徴によって、メディア・プレーヤー１０は、応答性が高くなり、待ち時間および互換性の問題を回避することができる。
【００６７】
次に図５に移ると、メイン表示画面５６および中央制御インターフェースの一実施形態のクローズアップ・ビューが示されている。メイン表示画面はおよそ３つの表示領域に分割される。メイン表示画面５６の左上部分９０は、第１のデッキに関する情報を含む。メイン表示画面５６の右上部分９２は、第２のデッキに関する情報を含む。メイン表示画面５６の下部分９４は、メディア・プレーヤー１０のメディア選択およびオプション設定のためのメニューを含む。下部分９４は、メイン表示画面５６の下の様々な多機能コントロール７２、７４、７６、７８の機能を示すメニュー・バーをも含む。
【００６８】
クレート・コントロール６２またはライブラリ・コントロール制御６０のいずれかを押下すると、図６に示されたメイン表示画面５６の下部分９４に表示される選択メニューが呼び出される。ライブラリ・コントロール６０は、使用可能なすべてのメディア・トラックを表示し、クレート・コントロール６２は、使用可能なすべてのメディア・トラックのうちの選択部分だけを示す。リストは、曲、アーティスト、アルバム、プレイリスト、フラグ・リスト（またはクレート）、および最近再生されたメディア・トラック別に編成される。次いで、ディスクジョッキーは、選択ノブ４８を回して、カーソル９６に、たとえば使用可能なアルバムなど、メイン表示画面５６の下部分９４のメニュー内の所望の選択肢を強調表示させ、選択ノブ４８を押下して、所望の選択肢を選択することができ。図７を参照すると、アルバム選択を選択した後に、すべての使用可能なアルバムのリストが、メイン表示画面５６の下部分９４に表示されている。
【００６９】
ディスクジョッキーが特定のアルバムを検索することを望む場合、ディスクジョッキーは、図７に示されるように、選択ノブ４８を使用してカーソル９６を移動し、メニュー９４上に検索選択を強調表示し、選択ノブ４８を押下する。選択ノブ４８を押下した後、ディスクジョッキーは、選択ノブ４８を回し押下することによって、ディスクジョッキーが検索したいと望む文字のテキストを入力してもよい。たとえば、図８および９を参照すると、ディスクジョッキーは、文字「ｄ」および「ｅ」を選択している。所望のテキストが入力された後、ディスクジョッキーは、図１０に示されるように、「ｆｉｎｉｓｈ」と示される多機能コントロール７８をアクティブ化することによって検索を実行してもよい。あるいは、ディスクジョッキーは、上述されたＵＳＢポート１８、８４のうちの１つに接続されたキーボードを使用してテキストを入力してもよい。
【００７０】
図１１を参照すると、文字「ｄｅ」で始まるタイトルを有するすべてのアルバムのリストが表示されている。次いで、ディスクジョッキーは、図１２に示されるように、カーソル９６で選択し、選択ノブ４８および所望の多機能コントロール７４を使用して、アルバム全体をデッキのうちの１つに割り当てることができる。図１３を参照すると、デッキのうちの１つにアルバムを割り当てた後に、アルバム内のメディア・トラックのリストが表示され、第１のメディア・トラックが再生し始める。メイン表示画面５６の第１の部分９０は、アルバムの第１のトラックが現在再生されていることを示している。
【００７１】
ディスクジョッキーは、再生するさらなるメディア・トラックをキューイングしたいと望む場合、図１４に示されるように、単にライブラリ・コントロール６０またはクレート・コントロール６２をアクティブ化して、メイン・メニュー５６に戻る。たとえば、ディスクジョッキーは、特定のアーティストからのプレイリストに曲を加えたいと望む場合、選択ノブ４８を使用して、下部分９４内のメニュー上のアーティスト選択にカーソル９６を導き、選択ノブ４８を選択する。次いで、図１５に示されるように、使用可能なアーティストのリストが、下部分９４に表示される。ディスクジョッキーは、たとえばアーティストＰｒｉｎｃｅでメディア・トラックを検索することを望む場合、リスト内の検索アイコンを選択する。図１６および１７を参照すると、次いで、ディスクジョッキーは、選択ノブ４８またはキーボードを用いて文字「ｐ」および「ｒ」を入力し、「ｅｎｔｅｒ」７８とラベル付けされた多機能キーをアクティブ化して、検索を開始することができる。図１８を参照すると、文字「ｐｒ」で始まるタイトルを有するすべてのアーティストのリストが、下部分９４に表示されている。次いで、選択ノブ４８を使用して、リストから「ｐｒｉｎｃｅ」を選択することができる。図１９を参照すると、アーティストＰｒｉｎｃｅによるすべてのメディア・トラックのリストが表示されている。次いで、ディスクジョッキーは、選択ノブ４８を使用して、特定のメディア・トラックのタイトルにカーソル９６を導くことができる。図２０および２１に示されるように「追加」とラベル付けされた多機能コントロールを使用することによって、ディスクジョッキーは、次いで、選択されたメディア・トラックをフラグ・リスト（またはクレート）、プレイリストに添付し、あるいはトラック内にキュー・ポイントを設定することができる。
【００７２】
図２２および２３を参照して述べると、「ｂａｃｋ」７２とラベル付けされた多機能コントロールをアクティブ化すると、カーソルが、１つ上のコンテキスト・レベルに移る。
【００７３】
図２４を参照すると、ディスクジョッキーは、２つの方法のうちの１つによって、クレートまたはフラグ・リストの内容を見ることができる。具体的には、ディスクジョッキーは、上述されたように、クレート・コントロール６２をアクティブ化することができ、あるいはディスクジョッキーは、ライブラリ・コントロール・メニューから選択ノブ４８を使用して、フラグ・リスト（またはクレート）を選択してもよい。いずれの場合も、図２５に示されるように、クレートの内容が表示される。次いで、ディスクジョッキーは、たとえば選択ノブ４８を使用してカーソル９６を所望の選択に導き、その後に適切な多機能コントロール７２、７４をアクティブ化することによってメディア・トラックを選択することにより、第２のデッキ上のメディア・トラックをキューイングし再生してもよい。次いで、図２６に示されるように、選択されたトラックは、メイン表示画面５６の第２の部分９２に表示される。
【００７４】
メディア・トラックは、最近再生された曲のタイトル、またプレイリストで検索し選択することもできる。選択ノブ４８および多機能コントロール７２、７４、７６、７８を使用することによって、再生リストが作成され、メディア・トラックがそれに追加されてもよい。
【００７５】
したがって、本発明のメディア・プレーヤーは、ディスクジョッキー用の装置を提供することの問題への独特な解決策を提供することが分かり、この装置は、ディスクジョッキーがメディア・トラックの外部ライブラリを管理することを可能にする独特なグラフィカル・ユーザ・インターフェースを含み、さらにデュアル・デッキと、演奏中にディスクジョッキーが必要とするディスクジョッキー特有のコントロールのデュアル・セットとを含む。本発明のメディア・プレーヤーによって、ディスクジョッキーは、演奏の創造的側面に専念することができ、演奏機器の機能および操作にはあまり注力しなくてもよくなる。
【００７６】
本発明の精神から逸脱せずに、示された諸実施形態に様々な変更および修正を加えることができることが当業者には理解されよう。こうした修正および変更はすべて、添付の特許請求の範囲によって限定される場合を除いて、本発明の範囲内のものである。
【図面の簡単な説明】
【００７７】
【図１】本発明のメディア・プレーヤーの好ましい実施形態の正面斜視図である。
【図２】本発明のメディア・プレーヤーの好ましい実施形態の後面斜視図である。
【図３】本発明のメディア・プレーヤーの好ましい実施形態の正面図である。
【図４】本発明のメディア・プレーヤーの好ましい実施形態の底面図である。
【図５】選択ノブを使用してメニュー内の検索選択にカーソルを誘導することによってメディア・プレーヤーの選択特徴をアクティブ化するステップを示す、メディア・プレーヤーの例示的なグラフィカル・インターフェースの平面図である。
【図６】選択ノブを使用してメニュー内のアルバム選択にカーソルを誘導することによってアルバムを選択するステップを示す図である。
【図７】選択ノブを使用してメニュー内の検索選択にカーソルを誘導することによって、使用可能なアルバムの検索を開始するステップを示す図である。
【図８】ディスクジョッキーが選択ノブを使用して検索文字列に文字「ｄ」を入力することを示す図である。
【図９】ディスクジョッキーが選択ノブを使用して検索文字列に文字「ｅ」をさらに入力することを示す図である。
【図１０】ディスクジョッキーが「ｆｉｎｉｓｈ」とラベル付けされた多機能キーをアクティブ化することによって検索を実行することを示す図である。
【図１１】図６〜１０に表された検索を実行すると得られた検索結果を示す図である。
【図１２】所望のアルバムにカーソルを誘導し、多機能コントロールをアクティブ化して、「Ａ」とラベル付けされた所望のデッキにアルバムを割り当てることによって所望のアルバムを再生するステップを示す図である。
【図１３】再生するデッキにアルバムを割り当てた後にアルバムのメディア・トラックが表示されることを示す図である。
【図１４】選択ノブを使用してメニュー内のアーティスト選択にカーソルを誘導することによって、メディア・プレーヤーの例示的なグラフィカル・インターフェースを使用してメディア・プレーヤー上で使用可能なアーティストを見るステップを示す図である。
【図１５】選択ノブを使用してメニュー内の検索選択にカーソルを誘導することによってアーティストでの検索を開始するステップを示す図である。
【図１６】ディスクジョッキーが選択ノブを使用して検索文字列に文字「ｐ」を入力することを示す図である。
【図１７】ディスクジョッキーが選択ノブを使用して検索文字列に文字「ｒ」をさらに入力し、「ｆｉｎｉｓｈ」とラベル付けされた多機能キーをアクティブ化することによって検索を実行することを示す図である。
【図１８】図１５〜１７に表された検索を実行すると得られた検索結果を示す図である。
【図１９】選択ノブを使用して所望のアーティスト「Ｐｒｉｎｃｅ」にカーソルを誘導することによって得られた結果を示す図である。
【図２０】所望のトラックを選択して、「ａｄｄ」とラベル付けされた多機能コントロールをアクティブ化するステップを示す図である。
【図２１】フラグ・リスト（またはクレート）に所望のトラックを追加するステップを示す図である。
【図２２】コンテキスト・レベルを上げるために、「ｂａｃｋ」とラベルを付けされた多機能コントロールを使用するステップを示す図である。
【図２３】図２２に表されたステップの実行結果を示す図である。
【図２４】選択ノブを使用してフラグ・リスト（またはクレート）にカーソルを誘導して、メディア・トラック、およびそれに追加されたアルバムを見るステップを示す図である。
【図２５】選択ノブおよび多機能コントロールを使用して、「Ｂ」とラベル付けされた第２のデッキにメディア・トラックを割り当てるステップを示す図である。
【図２６】メディア・トラックが、その表示を示すメイン表示画面の第２の部分によって「Ｂ」とラベル付けされた第２のデッキ上で現在キューイングされ、一時停止されていることを示す図である。
【図１】
2009531807.tif 000003
【図２】
2009531807.tif 000004
【図３】
2009531807.tif 000005
【図４】
2009531807.tif 000006
【図５】
2009531807.tif 000007
【図６】
2009531807.tif 000008
【図７】
2009531807.tif 000009
【図８】
2009531807.tif 000010
【図９】
2009531807.tif 000011
【図１０】
2009531807.tif 000012
【図１１】
2009531807.tif 000013
【図１２】
2009531807.tif 000014
【図１３】
2009531807.tif 000015
【図１４】
2009531807.tif 000016
【図１５】
2009531807.tif 000017
【図１６】
2009531807.tif 000018
【図１７】
2009531807.tif 000019
【図１８】
2009531807.tif 000020
【図１９】
2009531807.tif 000021
【図２０】
2009531807.tif 000022
【図２１】
2009531807.tif 000023
【図２２】
2009531807.tif 000024
【図２３】
2009531807.tif 000025
【図２４】
2009531807.tif 000026
【図２５】
2009531807.tif 000027
【図２６】
2009531807.tif 000028
【国際調査報告】
2009531807.tif 000029
2009531807.tif 000030